(57)【要約】【課題】電子機器との間で直接的に通信が可能であるか否かに関わらず、電子機器の状態に応じて自動的に動作状態を切り替えることが可能な画像表示装置を提供する。【解決手段】このデジタルフォトフレーム１（画像表示装置）は、画像データに基づいて画像を表示可能な表示部１１を含む本体部１０と、本体部１０から所定の範囲内に設置されるネットワークに接続された電子機器のネットワーク上での通信状態に関する通信状態情報を取得し、取得した通信状態情報に基づいて本体部１０の動作状態を切り替える制御部１９とを備えている。【選択図】図３
2011076189.tif 000002
【特許請求の範囲】
【請求項１】
画像データに基づいて画像を表示可能な表示部を含む本体部と、
前記本体部から所定の範囲内に設置されるネットワークに接続された電子機器の前記ネットワーク上での通信状態に関する通信状態情報を取得する通信状態情報取得部と、
前記通信状態情報取得部により取得された前記通信状態情報に基づいて、前記本体部の動作状態を切り替える制御部とを備える、画像表示装置。
【請求項２】
前記制御部は、前記通信状態情報に基づいて、所定の場合に前記本体部の動作状態を画像を表示する通常モードから省電力モードに切り替えるように構成されている、請求項１に記載の画像表示装置。
【請求項３】
前記制御部は、前記通信状態情報に基づいて、前記電子機器による前記ネットワーク上での通信が行われていないと判断した場合には、前記本体部の動作状態を前記画像を表示する通常モードから前記省電力モードに切り替えるように構成されている、請求項２に記載の画像表示装置。
【請求項４】
前記ネットワークは、前記本体部が設置されるユーザの宅内におけるホームネットワークであり、
前記制御部は、前記ホームネットワークに接続される宅内の前記電子機器による前記ホームネットワーク上での通信状態情報に基づいて、前記宅内の電子機器による前記ネットワーク上での通信が行われていないと判断した場合には、前記本体部の動作状態を前記画像を表示する通常モードから前記省電力モードに切り替えるように構成されている、請求項３に記載の画像表示装置。
【請求項５】
前記制御部は、前記本体部が省電力モードの場合に、前記通信状態情報に基づいて、前記電子機器による前記ネットワーク上での通信が開始されたと判断した場合には、前記本体部の動作状態を前記省電力モードから前記画像を表示する通常モードに切り替えるように構成されている、請求項３または４に記載の画像表示装置。
【請求項６】
前記制御部は、前記電子機器の状態が通常モードおよび省電力モードの場合に、前記電子機器による前記ネットワーク上での通信が行われていると判断し、前記電子機器の状態が電源オフ状態の場合に、前記電子機器により前記ネットワーク上での通信が行われていないと判断するように構成されている、請求項３〜５のいずれか１項に記載の画像表示装置。
【請求項７】
前記本体部は、前記ネットワークに接続されており、
前記通信状態情報取得部は、前記ネットワークを介して、前記電子機器の前記ネットワーク上での前記通信状態情報を取得するように構成されている、請求項１〜６のいずれか１項に記載の画像表示装置。
【請求項８】
前記通信状態情報取得部は、前記電子機器を前記ネットワークに接続する中継機器から前記電子機器の前記通信状態情報を取得するように構成されている、請求項７に記載の画像表示装置。
【請求項９】
前記本体部は、時計機能を有し、
前記制御部は、前記通信状態情報および前記時計機能による現在時刻に対応する情報の両方に基づいて、前記本体部の動作状態を切り替えるように構成されている、請求項１〜８のいずれか１項に記載の画像表示装置。
【請求項１０】
時間帯毎の生活上の行動内容に関する情報を含む行動パターンテーブルを記憶する記憶部をさらに備え、
前記制御部は、前記通信状態情報に基づいて、前記電子機器による前記ネットワーク上での通信が行われていると判断した場合には、前記行動パターンテーブルから現在時刻に対応する時間帯の行動内容の情報を取得し、前記現在時刻に対応する時間帯の行動内容に応じた動作状態になるように前記本体部の動作状態を切り替えるように構成されている、請求項９に記載の画像表示装置。
【請求項１１】
前記通信状態情報が変更された時間に関する情報に基づいて、前記行動パターンテーブルを更新するテーブル更新部をさらに備え、
前記制御部は、前記テーブル更新部により更新された前記行動パターンテーブルから現在時刻に対応する時間帯の行動内容の情報を取得するように構成されている、請求項１０に記載の画像表示装置。
【請求項１２】
前記時間帯毎の生活上の行動内容は、少なくとも睡眠を含み、
前記制御部は、前記現在時刻に対応する時間帯の行動内容が睡眠である場合に、前記本体部の動作状態を前記表示部に時計が表示される状態に切り替えるように構成されている、請求項１０または１１に記載の画像表示装置。
【請求項１３】
前記ネットワークには、複数の前記電子機器が接続されており、
前記通信状態情報取得部は、前記電子機器の各々の前記通信状態情報を取得するように構成されている、請求項１〜１２のいずれか１項に記載の画像表示装置。
【請求項１４】
画像データに基づいて画像を表示可能な表示部を含む本体部と、
前記本体部から所定の範囲内に設置されるネットワークに接続された電子機器の前記ネットワーク上での通信状態に関する通信状態情報を取得する通信状態情報取得部と、
前記通信状態情報取得部により取得された前記通信状態情報に基づいて、前記電子機器による前記ネットワーク上での通信が行われていないと判断した場合には、前記本体部の動作状態を画像を表示する通常モードから省電力モードに切り替える制御部とを備える、電子フォトフレーム。
【発明の詳細な説明】
【技術分野】
【０００１】
この発明は、画像表示装置および電子フォトフレームに関し、特に、動作状態を切り替え可能な画像表示装置および電子フォトフレームに関する。
【背景技術】
【０００２】
従来、動作状態を切り替え可能な電子機器およびシステムが知られている（たとえば、特許文献１〜３参照）。
【０００３】
上記特許文献１には、ＤＶＤプレーヤなどの外部機器に接続され、外部機器の電源のオン／オフの状態に基づいて、自動的に本体部の電源のオン／オフを切り替えるテレビジョン受像機が開示されている。このテレビジョン受像機は、外部機器が接続される入力端子を備え、入力端子を介して外部機器からテレビジョン受像機に対して送信される入力信号の有無に基づいて、外部機器の電源のオン／オフの状態を検出する。
【０００４】
上記特許文献２には、携帯機器などのキー装置と、キー装置との無線通信による通信状態に基づいて、自動的に動作状態が切り替わるエアコン等の被制御機器とを備えた機器制御システムが開示されている。この機器制御システムでは、キー装置は、キー装置が被制御機器から所定範囲内にある場合に、無線通信により所定範囲内にあることを示す応答情報を被制御機器に対して送信し、被制御機器は、キー装置から被制御機器に対して送信される応答情報の有無に基づいて、自動的に動作状態を通常モードまたは留守番モードに切り替える。
【０００５】
上記特許文献３には、コンピュータなどの他の通信機器と無線通信するための通信手段と、通信手段による他の通信機器との通信状況を表示する表示手段と、他の通信機器との通信状態に基づいて、表示手段を制御する制御手段とを備えた電子カメラが開示されている。この電子カメラでは、他の通信機器から電子カメラに対して信号が送信されることによって通信が確立され、通信が確立されたことに基づいて、制御手段により自動的に表示手段を待機状態（省電力状態）から利用状態（通常状態）に切り替える。
【先行技術文献】
【特許文献】
【０００６】
【特許文献１】特開２００５−１６７７７４号公報
【特許文献２】特開２００３−２８４１６２号公報
【特許文献３】特開２００２−１１１５３０号公報
【発明の概要】
【発明が解決しようとする課題】
【０００７】
しかしながら、上記特許文献１のテレビジョン受像機では、外部機器からテレビジョン受像機に対して送信される入力信号の有無に基づいて、外部機器の電源のオン／オフの状態が検出されるので、テレビジョン受像機と直接的に通信可能な外部機器（電子機器）を用いる必要がある。
【０００８】
また、上記特許文献２の機器制御システムでは、キー装置から被制御機器に対して送信される応答情報の有無に基づいて、自動的に動作状態が通常モードまたは留守番モードに切り替えられるので、被制御機器と直接的に通信可能なキー装置（電子機器）を用いる必要がある。
【０００９】
また、上記特許文献３の電子カメラでは、他の通信機器から電子カメラに対して信号が送信されて通信が確立した場合に、表示手段が待機状態（省電力状態）から利用状態（通常状態）に切り替えられるので、電子カメラと直接的に通信可能な他の通信機器（電子機器）を用いる必要がある。
【００１０】
この発明は、上記のような課題を解決するためになされたものであり、この発明の１つの目的は、電子機器との間で直接的に通信が可能であるか否かに関わらず、電子機器の状態に応じて自動的に動作状態を切り替えることが可能な画像表示装置および電子フォトフレームを提供することである。
【課題を解決するための手段および発明の効果】
【００１１】
この発明の第１の局面による画像表示装置は、画像データに基づいて画像を表示可能な表示部を含む本体部と、本体部から所定の範囲内に設置されるネットワークに接続された電子機器のネットワーク上での通信状態に関する通信状態情報を取得する通信状態情報取得部と、通信状態情報取得部により取得された通信状態情報に基づいて、本体部の動作状態を切り替える制御部とを備えている。
【００１２】
この発明の第１の局面による画像表示装置では、上記のように、本体部から所定の範囲内に設置されるネットワークに接続された電子機器によるネットワーク上での通信状態に関する通信状態情報を取得する通信状態情報取得部と、通信状態情報取得部により取得された通信状態情報に基づいて本体部の動作状態を切り替える制御部とを設けることによって、電子機器との間で直接的に通信を行うことができない場合にも、制御部により、電子機器のネットワーク上での通信状態に関する通信状態情報に基づいて本体部の動作状態が切り替えられるので、電子機器との間で直接的に通信が可能であるか否かに関わらず、電子機器の状態に応じて自動的に画像表示装置の本体部の動作状態を切り替えることができる。
【００１３】
上記第１の局面による画像表示装置において、好ましくは、制御部は、通信状態情報に基づいて、所定の場合に本体部の動作状態を画像を表示する通常モードから省電力モードに切り替えるように構成されている。このように構成すれば、所定の場合に、電子機器の状態に応じて自動的に本体部の動作状態が画像を表示する通常モードから省電力モードに切り替えられるので、ユーザに操作負担を掛けることなく消費電力の低減を図ることができる。
【００１４】
この場合、好ましくは、制御部は、通信状態情報に基づいて、電子機器によるネットワーク上での通信が行われていないと判断した場合には、本体部の動作状態を画像を表示する通常モードから省電力モードに切り替えるように構成されている。このように構成すれば、電子機器によりネットワーク上での通信が行われていない場合には、ユーザが画像表示装置から所定範囲内にある電子機器を使用している可能性が低く、ユーザが画像表示装置の近傍に居ない可能性が高いと推定されて、制御部により自動的に本体部が画像を表示する通常モードから省電力モードに切り替えられる。これにより、ユーザが画像表示装置の近傍から離れる際に自ら本体部を省電力モードに切り替える必要がないので、ユーザに操作負担が掛かるのを抑制することができる。
【００１５】
上記電子機器がネットワーク上での通信を行っていない場合に本体部を省電力モードに切り替える構成において、好ましくは、ネットワークは、本体部が設置されるユーザの宅内におけるホームネットワークであり、制御部は、ホームネットワークに接続される宅内の電子機器によるホームネットワーク上での通信状態情報に基づいて、宅内の電子機器によるネットワーク上での通信が行われていないと判断した場合には、本体部の動作状態を画像を表示する通常モードから省電力モードに切り替えるように構成されている。このように構成すれば、電子機器により宅内におけるホームネットワーク上での通信が行われていない場合には、制御部により自動的に本体部が画像を表示する通常モードから省電力モードに切り替えられるので、ユーザが電子機器によるホームネットワーク上での通信を終了して画像表示装置の近傍から離れる際に、自ら本体部を省電力モードに切り替える必要がない。
【００１６】
上記電子機器がネットワーク上での通信を行っていない場合に本体部を省電力モードに切り替える構成において、好ましくは、制御部は、本体部が省電力モードの場合に、通信状態情報に基づいて、電子機器によるネットワーク上での通信が開始されたと判断した場合には、本体部の動作状態を省電力モードから画像を表示する通常モードに切り替えるように構成されている。このように構成すれば、電子機器によりネットワーク上での通信が開始された場合には、ユーザが画像表示装置から所定範囲内にある電子機器の使用を開始した可能性が高く、ユーザが画像表示装置の近傍に戻った可能性が高いと推定されて、制御部により自動的に本体部が省電力モードから画像を表示する通常モードに切り替えられる。これにより、ユーザが自ら本体部を省電力モードから通常モードに切り替える必要がないので、ユーザに操作負担が掛かるのをより抑制することができる。
【００１７】
上記電子機器がネットワーク上での通信を行っていない場合に本体部を省電力モードに切り替える構成において、好ましくは、制御部は、電子機器の状態が通常モードおよび省電力モードの場合に、電子機器によるネットワーク上での通信が行われていると判断し、電子機器の状態が電源オフ状態の場合に、電子機器によりネットワーク上での通信が行われていないと判断するように構成されている。このように構成すれば、電子機器が通常モードおよび省電力モードの場合には、ユーザが画像表示装置の近くにいると推定されて画像表示装置の本体部が省電力モードに切り替えられないようにすることができる。また、電子機器が電源オフ状態の場合にだけユーザが画像表示装置の近くにいないと推定されて本体部が省電力モードに切り替えられるようにすることができる。
【００１８】
上記第１の局面による画像表示装置において、好ましくは、本体部は、ネットワークに接続されており、通信状態情報取得部は、ネットワークを介して、電子機器のネットワーク上での通信状態情報を取得するように構成されている。このように構成すれば、通信状態情報を取得するための専用の経路を設けることなく、ネットワークを用いた簡易な方法で通信状態情報を取得することができる。
【００１９】
この場合、好ましくは、通信状態情報取得部は、電子機器をネットワークに接続する中継機器から電子機器の通信状態情報を取得するように構成されている。このように構成すれば、電子機器のネットワーク上での通信に用いられる中継機器から確実に通信状態情報を取得することができる。
【００２０】
上記第１の局面による画像表示装置において、好ましくは、本体部は、時計機能を有し、制御部は、通信状態情報および時計機能による現在時刻に対応する情報の両方に基づいて、本体部の動作状態を切り替えるように構成されている。このように構成すれば、電子機器の状態のみならず現在時刻にも応じて本体部の動作状態を切り替えることができる。
【００２１】
この場合、好ましくは、時間帯毎の生活上の行動内容に関する情報を含む行動パターンテーブルを記憶する記憶部をさらに備え、制御部は、通信状態情報に基づいて、電子機器によるネットワーク上での通信が行われていると判断した場合には、行動パターンテーブルから現在時刻に対応する時間帯の行動内容の情報を取得し、現在時刻に対応する時間帯の行動内容に応じた動作状態になるように本体部の動作状態を切り替えるように構成されている。このように構成すれば、行動パターンテーブルを用いてユーザの現在の行動内容を容易に想定することができるので、ユーザの現在の行動内容に適した動作状態に本体部を切り替えることができる。
【００２２】
上記行動パターンテーブルを記憶する記憶部を備えた構成において、好ましくは、通信状態情報が変更された時間に関する情報に基づいて、行動パターンテーブルを更新するテーブル更新部をさらに備え、制御部は、テーブル更新部により更新された行動パターンテーブルから現在時刻に対応する時間帯の行動内容の情報を取得するように構成されている。このように構成すれば、ユーザが電子機器の状態を変更した時間である、通信状態情報が変更された時間に関する情報に基づいて、行動パターンテーブルが更新されるので、更新された行動パターンテーブルを用いてユーザの現在の行動内容をより精度よく想定することができる。
【００２３】
上記行動パターンテーブルを記憶する記憶部を備えた構成において、好ましくは、時間帯毎の生活上の行動内容は、少なくとも睡眠を含み、制御部は、現在時刻に対応する時間帯の行動内容が睡眠である場合に、本体部の動作状態を表示部に時計が表示される状態に切り替えるように構成されている。このように構成すれば、ユーザが在宅しているものの睡眠中である場合には、表示部に画像を表示させる必要がないので、目が覚めたときに知りたい情報である時刻を表示させてユーザの利便性を向上させることができる。
【００２４】
上記第１の局面による画像表示装置において、好ましくは、ネットワークには、複数の電子機器が接続されており、通信状態情報取得部は、電子機器の各々の通信状態情報を取得するように構成されている。このように構成すれば、複数の電子機器の通信状態に基づいて本体部の動作状態を切り替えることができるので、１つの電子機器の通信状態に基づく場合よりもユーザが在宅しているか否かの判断をより正確に行うことができる。これにより、本体部の動作状態の切り替えをより適切に行うことができる。
【００２５】
この発明の第２の局面による電子フォトフレームは、画像データに基づいて画像を表示可能な表示部を含む本体部と、本体部から所定の範囲内に設置されるネットワークに接続された電子機器のネットワーク上での通信状態に関する通信状態情報を取得する通信状態情報取得部と、通信状態情報取得部により取得された通信状態情報に基づいて、電子機器によるネットワーク上での通信が行われていないと判断した場合には、本体部の動作状態を画像を表示する通常モードから省電力モードに切り替える制御部とを備えている。
【００２６】
この発明の第２の局面による電子フォトフレームでは、上記のように、本体部から所定の範囲内に設置されるネットワークに接続された電子機器によるネットワーク上での通信状態に関する通信状態情報を取得する通信状態情報取得部と、通信状態情報取得部により取得された通信状態情報に基づいて本体部の動作状態を切り替える制御部とを設けることによって、電子機器との間で直接的に通信を行うことができない場合にも、制御部により、電子機器のネットワーク上での通信状態に関する通信状態情報に基づいて本体部の動作状態が切り替えられるので、電子機器との間で直接的に通信が可能であるか否かに関わらず、電子機器の状態に応じて自動的に電子フォトフレームの本体部の動作状態を切り替えることができる。また、通信状態情報取得部により取得された通信状態情報に基づいて、電子機器によるネットワーク上での通信が行われていないと判断した場合には、本体部の動作状態を画像を表示する通常モードから省電力モードに切り替えるように制御部を構成することによって、電子機器によりネットワーク上での通信が行われていない場合には、ユーザが電子フォトフレームから所定範囲内にある電子機器を使用している可能性が低く、ユーザが電子フォトフレームの近傍に居ない可能性が高いと推定されて、制御部により自動的に本体部が画像を表示する通常モードから省電力モードに切り替えられる。これにより、ユーザが電子フォトフレームの近傍から離れる際に自ら本体部を省電力モードに切り替える必要がないので、ユーザに操作負担が掛かるのを抑制することができる。
【図面の簡単な説明】
【００２７】
【図１】本発明の第１および第２実施形態によるデジタルフォトフレームが接続されるネットワーク全体の構成を示した概略図である。
【図２】本発明の第１および第２実施形態によるデジタルフォトフレームの構成を示したブロック図である。
【図３】本発明の第１実施形態によるデジタルフォトフレームの動作状態移行処理を説明するためのフローチャートである。
【図４】本発明の第２実施形態によるデジタルフォトフレームの行動パターンテーブル（デフォルト）を示した図である。
【図５】本発明の第２実施形態によるデジタルフォトフレームの更新行動パターンテーブルを示した図である。
【図６】本発明の第２実施形態によるデジタルフォトフレームの動作状態移行処理を説明するためのフローチャートである。
【発明を実施するための形態】
【００２８】
以下、本発明を具体化した実施形態を図面に基づいて説明する。
【００２９】
（第１実施形態）
まず、図１および図２を参照して、本発明の第１実施形態によるデジタルフォトフレーム１の構成について説明する。なお、デジタルフォトフレーム１は、本発明の「画像表示装置」および「電子フォトフレーム」の一例である。
【００３０】
本発明の第１実施形態によるデジタルフォトフレーム１は、図１に示すように、ルータ２を介してインターネットに接続されている。また、デジタルテレビジョン装置３、ＤＶＤプレーヤ４、ＰＣ（パーソナルコンピュータ）５およびオーディオ装置６も、それぞれ、ルータ２を介してインターネットに接続されている。また、デジタルフォトフレーム１、デジタルテレビジョン装置３、ＤＶＤプレーヤ４、ＰＣ５およびオーディオ装置６により、ルータ２を介してホームネットワークとしてのＬＡＮ（Ｌｏｃａｌ  Ａｒｅａ  Ｎｅｔｗｏｒｋ）が構築されている。この場合、ルータ２は、ＬＡＮからなるホームネットワーク上での相互通信を可能にするハブ機能を有する。また、デジタルフォトフレーム１、ルータ２、デジタルテレビジョン装置３、ＤＶＤプレーヤ４、ＰＣ５およびオーディオ装置６は、それぞれ、同一の宅内に設置されている。すなわち、ルータ２、デジタルテレビジョン装置３、ＤＶＤプレーヤ４、ＰＣ５およびオーディオ装置６は、それぞれ、第１実施形態によるデジタルフォトフレーム１から所定の範囲内に配置されている。なお、ルータ２は、本発明の「中継機器」の一例である。また、デジタルテレビジョン装置３、ＤＶＤプレーヤ４、ＰＣ（パーソナルコンピュータ）５およびオーディオ装置６は、それぞれ、本発明の「電子機器」の一例である。
【００３１】
デジタルフォトフレーム１は、図１に示すように、正面から見て矩形形状を有する本体部１０を備えている。本体部１０の正面側の表面には、矩形形状の表示部１１が設けられている。また、本体部１０の正面側の表面には、表示部１１に隣接して操作部１２が配置されている。また、本体部１０の側面には、メディアカード接続部１３が設けられている。また、図２に示すように、本体部１０の内部には、フラッシュＲＯＭ（ＦＬＡＳＨ  ＲＯＭ）１４、ＲＡＭ１５、無線ネットワーク通信部１６ａ、有線ネットワーク通信部１６ｂ、電源システム部１７、ＲＴＣ（Ｒｅａｌ  Ｔｉｍｅ  Ｃｌｏｃｋ）１８、および、制御部（ＣＰＵ）１９が設けられている。なお、フラッシュＲＯＭ１４は、本発明の「記憶部」の一例であり、制御部１９は、本発明の「制御部」、「通信状態情報取得部」および「テーブル更新部」の一例である。
【００３２】
表示部１１は、液晶ディスプレイからなり、メディアカード接続部１３に接続されたメディアカード（図示せず）に記憶されるデジタル画像を表示可能に構成されている。また、表示部１１は、画像の表示態様の変更や色調の調整などを行うための設定画面を表示することが可能である。画像の表示態様としては、１つの画像（写真画像）を表示する固定表示、複数の画像（写真画像）を所定間隔で切り替えながら表示するスライドショー表示、および時計表示がある。
【００３３】
操作部１２は、表示部１１に表示される設定画面において、各種項目を選択および決定するために設けられている。また、ユーザは、操作部１２を用いて、デジタル画像の削除やコピーを指示することも可能である。
【００３４】
メディアカード接続部１３は、ＳＤメモリカード（Ｓｅｃｕｒｅ  Ｄｉｇｉｔａｌ  Ｍｅｍｏｒｙ  Ｃａｒｄ）（登録商標）、ｘＤピクチャカード（登録商標）、ＣＦカード（Ｃｏｍｐａｃｔ  Ｆｌａｓｈ  Ｃａｒｄ）（登録商標）などの各種メディアカードに対応可能に構成されている。
【００３５】
フラッシュＲＯＭ１４は、書き換え可能な不揮発性メモリであり、メディアカード接続部１３を介して読み取られた各種メディアカード内の画像データを記憶することが可能である。
【００３６】
ＲＡＭ１５は、揮発性メモリであり、制御部１９の作業領域として利用される。
【００３７】
無線ネットワーク通信部１６ａは、ルータ２との間で無線通信を行うために設けられている。本体部１０は、無線ネットワーク通信部１６ａを介してルータ２に無線で接続されることによって、ルータ２を介してネットワーク（インターネットおよびＬＡＮ）に接続可能である。
【００３８】
有線ネットワーク通信部１６ｂは、ルータ２との間で有線で通信を行うために設けられている。第１実施形態では、本体部１０は無線ネットワーク通信部１６ａによりルータ２に無線接続されており、有線ネットワーク通信部１６ｂは使用されていない。
【００３９】
電源システム部１７は、本体部１０の各部に電力を供給する機能を有している。具体的には、電源システム部１７は、制御部１９からの指示によって、本体部１０の各部に電力を供給しない状態（電源オフ状態）、本体部１０の一部にだけ電力を供給する状態（スタンバイ状態（省電力モード））、および、本体部１０の全体に電力を供給する状態（通常動作状態（通常モード））の３つの状態に切り替わるように構成されている。
【００４０】
ＲＴＣ１８は、時計として機能し、電源システム部１７が上記いずれの状態の場合であっても、現在時刻を刻み続けるように構成されている。すなわち、ＲＴＣ１８は、本体部１０が電源オフ状態、スタンバイ状態および通常動作状態のいずれの場合であっても動作し続けるように構成されている。また、ＲＴＣ１８は、表示部１１に時計を表示する際に現在時刻を取得するのに用いられる。
【００４１】
制御部１９は、ＣＰＵからなり、図示しないコンピュータプログラムを実行することにより本体部１０の各部の動作を制御するように構成されている。また、制御部１９は、ルータ２を介してネットワークに接続された電子機器（デジタルテレビジョン装置３、ＤＶＤプレーヤ４、ＰＣ５およびオーディオ装置６）のネットワーク上での通信状態に関する通信状態情報を取得する機能を有している。具体的には、制御部１９は、無線ネットワーク通信部１６ａを介して、ルータ２に対して通信状態情報を要求する要求信号を送信し、要求信号を受信したルータ２から送信される通信状態情報を取得するように構成されている。このように制御部１９は、無線ネットワーク通信部１６ａを用いて接続されるネットワークを介してルータ２から通信状態情報を取得する。また、制御部１９は、ネットワークに接続された電子機器（デジタルテレビジョン装置３、ＤＶＤプレーヤ４、ＰＣ５およびオーディオ装置６）と直接的に通信を行うことにより各々の電子機器のネットワーク上での通信状態を取得するのではなく、ルータ２との通信により各々の電子機器のネットワーク上での通信状態を取得するように構成されている。
【００４２】
ルータ２は、デジタルフォトフレーム１、デジタルテレビジョン装置３、ＤＶＤプレーヤ４、ＰＣ５およびオーディオ装置６をネットワーク（インターネットおよびＬＡＮ）に接続する中継機器として機能するように構成されている。また、ルータ２は、ネットワークを介してデジタルフォトフレーム１から送信される通信状態情報を要求する要求信号を受信し、各電子機器（デジタルテレビジョン装置３、ＤＶＤプレーヤ４、ＰＣ５およびオーディオ装置６）の通信状態情報をネットワークを介してデジタルフォトフレーム１に送信するように構成されている。具体的には、ルータ２は、通信状態情報として、いずれの電子機器がルータ２と通信状態にあるかを検知することにより、いずれの電子機器によりネットワーク上での通信が行われているかの情報をデジタルフォトフレーム１に送信する。
【００４３】
デジタルテレビジョン装置３、ＤＶＤプレーヤ４、ＰＣ５およびオーディオ装置６の各電子機器は、それぞれ、電源オフ状態の場合には、ネットワーク上での通信が行われず、ルータ２と通信されない状態（非通信状態）となるように構成されている。また、各電子機器は、それぞれ、スタンバイ状態（省電力モード）および通常動作状態（通常モード）のいずれの場合にも、ネットワーク上での通信が行われ、ルータ２と通信している状態（通信状態）となる。各電子機器は、スタンバイ状態および通常動作状態の場合に、ルータ２との間で常時通信確認を行うため、ルータ２と常時通信状態となる。
【００４４】
次に、図３を参照して、本発明の第１実施形態によるデジタルフォトフレーム１の動作状態移行処理について説明する。
【００４５】
ユーザにより本体部１０の電源がオン状態にされると、制御部１９は、ステップＳ１において、本体部１０を通常動作状態（通常モード）にする。具体的には、制御部１９により本体部１０の各部が制御され、表示部１１にデジタル画像が固定表示される。この際、ユーザにより画像の表示態様がスライドショー表示に設定されている場合には、表示部１１に画像がスライドショー表示される。そして、ステップＳ２において、制御部１９は、ネットワークに接続された電子機器（デジタルテレビジョン装置３、ＤＶＤプレーヤ４、ＰＣ５およびオーディオ装置６）のネットワーク上での通信状態を確認する。詳細には、制御部１９は、ルータ２に対して通信状態情報の要求信号を送信するとともに、要求信号を受信したルータ２から送信される通信状態情報を取得する。
【００４６】
その後、ステップＳ３において、制御部１９は、取得した通信状態情報に基づいて、電子機器（デジタルテレビジョン装置３、ＤＶＤプレーヤ４、ＰＣ５およびオーディオ装置６）のいずれかがネットワーク上で通信を行っているか否かを判断し、電子機器のいずれか１つでも通信を行っている場合にはステップＳ１に戻る。すなわち、電子機器がネットワーク上での通信を行っている場合には、当該電子機器はスタンバイ状態または通常動作状態でありユーザが宅内に居る可能性が高いため、制御部１９は、デジタルフォトフレーム１の本体部１０を通常動作状態で維持する。
【００４７】
一方、いずれの電子機器もネットワーク上での通信を行っていない場合には、制御部１９は、ステップＳ４において、本体部１０の動作状態を通常動作状態（通常モード）からスタンバイ状態（省電力モード）に切り替える。すなわち、全ての電子機器が電源オフ状態の場合には、ユーザが宅内にいる可能性が低いため、制御部１９は、デジタルフォトフレーム１の本体部１０をスタンバイ状態（省電力モード）に切り替える。その後、制御部１９は、本体部１０の動作状態をスタンバイ状態で維持したまま、ステップＳ５およびＳ６において、いずれかの電子機器がネットワーク上で通信を開始するまで、各電子機器のネットワーク上での通信状態を継続的に確認する。
【００４８】
そして、いずれかの電子機器が通信を開始すると、ステップＳ７において、制御部１９は、本体部１０の各部を制御して、スタンバイ状態からの起動処理（ＷＡＫＥ  ＵＰ処理）を行った後ステップＳ１に戻る。
【００４９】
第１実施形態では、上記のように、本体部１０から所定の範囲内に設置されるネットワークに接続可能な電子機器（デジタルテレビジョン装置３、ＤＶＤプレーヤ４、ＰＣ５およびオーディオ装置６）のネットワーク上での通信状態に関する通信状態情報を取得し、取得した通信状態情報に基づいて本体部１０の動作状態を切り替える制御部１９を設けることによって、電子機器との間で直接的に通信を行うことができない場合にも、制御部１９により、電子機器のネットワーク上での通信状態に関する通信状態情報に基づいて本体部１０の動作状態が切り替えられるので、電子機器との間で直接的に通信が可能であるか否かに関わらず、電子機器の状態に応じて自動的にデジタルフォトフレーム１の本体部１０の動作状態を切り替えることができる。
【００５０】
また、第１実施形態では、通信状態情報に基づいて、電子機器によりネットワーク上での通信が行われていないと判断した場合には、本体部１０の動作状態を画像を表示する通常動作状態（通常モード）からスタンバイ状態（省電力モード）に切り替えるように制御部１９を構成することによって、電子機器によりネットワーク上での通信が行われていない場合には、ユーザがデジタルフォトフレーム１から所定範囲内にある電子機器を使用している可能性が低く、ユーザがデジタルフォトフレーム１の近傍に居ない可能性が高いと推定されて、自動的に本体部１０が画像を表示する通常モードから省電力モードに切り替えられる。これにより、ユーザがデジタルフォトフレーム１の近傍から離れる際に自ら本体部１０を省電力モードに切り替える必要がないないので、ユーザに操作負担が掛かるのを抑制することができる。
【００５１】
また、第１実施形態では、本体部１０がスタンバイ状態の場合に、通信状態情報に基づいて電子機器によるネットワーク上での通信が開始されたと判断した場合には、本体部１０の動作状態をスタンバイ状態から画像を表示する通常動作状態に切り替えることによって、電子機器によりネットワーク上での通信が開始された場合には、ユーザがデジタルフォトフレーム１から所定範囲内にある電子機器の使用を開始した可能性が高く、ユーザがデジタルフォトフレーム１の近傍に戻った可能性が高いと推定されて、自動的に本体部１０がスタンバイ状態から画像を表示する通常動作状態に切り替えられる。これにより、ユーザが自ら本体部１０をスタンバイ状態から通常動作状態に切り替える必要がないので、ユーザに操作負担が掛かるのをより抑制することができる。
【００５２】
また、第１実施形態では、電子機器の状態が通常動作状態およびスタンバイ状態の場合に電子機器によりネットワーク上での通信が行われていると判断し、電子機器の状態が電源オフ状態の場合に電子機器によるネットワーク上での通信が行われていないと判断することによって、電子機器が通常動作状態およびスタンバイ状態の場合には、ユーザがデジタルフォトフレーム１の近くにいると推定されてデジタルフォトフレーム１の本体部１０がスタンバイ状態に切り替えられないようにすることができる。また、電子機器が電源オフ状態の場合にだけユーザがデジタルフォトフレーム１の近くにいないと推定されて本体部１０がスタンバイ状態に切り替えられるようにすることができる。
【００５３】
また、第１実施形態では、ネットワークを介して電子機器のネットワーク上での通信状態情報を取得することによって、通信状態情報を取得するための専用の経路を設けることなく、ネットワークを用いた簡易な方法で通信状態情報を取得することができる。
【００５４】
また、第１実施形態では、ルータ２から電子機器の通信状態情報を取得することによって、電子機器のネットワーク上での通信に用いられるルータ２から確実に通信状態情報を取得することができる。
【００５５】
（第２実施形態）
次に、図１、図２、図４および図５を参照して、第２実施形態について説明する。この第２実施形態では、上記第１実施形態と異なり、制御部１９により、通信状態情報と現在時刻に対応する時間帯の生活上の行動内容とに基づいて、本体部１０の動作状態を切り替えるデジタルフォトフレーム１００（図１および図２参照）について説明する。なお、デジタルフォトフレーム１００は、本発明の「画像表示装置」および「電子フォトフレーム」の一例である。
【００５６】
本発明の第２実施形態によるデジタルフォトフレーム１００のフラッシュＲＯＭ１４には、図４および図５に示すような行動パターンテーブルが記憶されている。行動パターンテーブルには、時間帯毎の生活上の行動内容の情報が含まれている。また、第２実施形態では、ユーザが宅内に居て、かつ、起きている場合（宅内（起きている））には、いずれかの電子機器（デジタルテレビジョン装置３、ＤＶＤプレーヤ４、ＰＣ５およびオーディオ装置６）でネットワーク上での通信が行われると想定しているとともに、ユーザが外出中または睡眠中である場合には、電子機器のネットワーク上での通信は行われないと想定している。また、図４に示す行動パターンテーブル（デフォルト）は、一般的な行動パターンの情報を含んでおり、フラッシュＲＯＭ１４にデフォルトとして格納されている。また、行動パターンテーブルは、後述するように、制御部１９により、各ユーザの行動パターンにより適応するように更新可能に構成されており、図５には、更新された行動パターンテーブルの一例を示している。
【００５７】
次に、図６を参照して、本発明の第２実施形態によるデジタルフォトフレーム１００の動作状態移行処理について説明する。なお、第２実施形態では、上記第１実施形態と同様の動作については図６のフローチャートに図３と同じステップ番号を付してその説明を省略する。
【００５８】
本発明の第２実施形態では、本体部１０がスタンバイ状態の場合に、いずれかの電子機器（デジタルテレビジョン装置３、ＤＶＤプレーヤ４、ＰＣ５およびオーディオ装置６）のネットワーク上での通信が開始されて、ステップＳ７において起動処理（ＷＡＫＥ  ＵＰ処理）が行われた後、制御部１９は、ステップＳ８において、行動パターンデータを蓄積する。詳細には、制御部１９により、各ユーザの時間帯毎の行動内容の情報がフラッシュＲＯＭ１４に蓄積される。たとえば、ステップＳ４でのスタンバイ状態への移行時刻（電子機器の通信が行われなくなった時刻）が２４時（０時）であり、ステップＳ７での起動処理時刻（電子機器の通信が開始された時刻）が７時であった場合には、２４時〜７時までの間電子機器によるネットワーク上での通信がなかったことになるので、この場合には、制御部１９により、「睡眠（通信が行われないと想定）の時間帯は２４時〜７時である」という情報のデータ（行動パターンデータ）が保存される。なお、第２実施形態では、通信が行われない行動内容として、睡眠時および外出時を想定しており、ステップＳ４でのスタンバイ状態への移行のタイミングに基づいて、制御部１９により、睡眠および外出のいずれのデータを更新するかが決定される。詳細には、制御部１９により、スタンバイ状態への移行の時刻が行動パターンテーブルの睡眠の開始時刻および外出の開始時刻のいずれの時刻に近いかが判断され、より近いと判断された方の行動内容のデータが更新される。すなわち、行動パターンテーブル（デフォルト）の睡眠の開始時刻が２３時であり、外出の開始時刻が９時であるので、ステップＳ４でのスタンバイ状態への移行のタイミングが２４時である上記の例の場合には、開始時刻が２４時により近い睡眠のデータが更新される。
【００５９】
そして、ステップＳ９において、制御部１９は行動パターンテーブルの更新を行う。具体的には、制御部１９は、１週間分の行動パターンデータが蓄積された段階で、蓄積された行動パターンデータの平均値を算出し、算出された平均値に基づいて行動パターンテーブルを更新する。たとえば、１週間分の行動パターンデータの平均値から睡眠の時間帯が２４時〜５時であると算出された場合には、行動パターンテーブル（デフォルト）は図５に示す更新行動パターンテーブルのように変更される。すなわち、睡眠の時間帯２３時〜８時が２４時〜５時に変更されるとともに、睡眠の前後の宅内（起きている）の時間帯が睡眠の時間帯に整合するように変更される。その後、制御部１９の動作はステップＳ１に戻る。
【００６０】
ステップＳ３において、いずれかの電子機器がネットワーク上で通信を行っていると判断された場合には、制御部１９は、ステップＳ１０において、行動パターンテーブルを確認する。この際、制御部１９は、行動パターンテーブルが更新されている場合には、更新行動パターンテーブルを確認し、行動パターンテーブルが更新されていない場合には、行動パターンテーブル（デフォルト）を確認する。そして、ステップＳ１１において、制御部１９は、確認された行動パターンテーブルにおいて、ＲＴＣ１８により取得された現在時刻が外出または睡眠の時間帯であるか否かを判断し、外出および睡眠のいずれでもなく、宅内に居て起きている（宅内（起きている））時間帯である場合には、ステップＳ１に戻って通常動作状態を継続する。
【００６１】
一方、現在時刻が外出または睡眠の時間帯である場合には、ステップＳ１２において、制御部１９は、現在時刻が睡眠の時間帯であるか否かを判断し、睡眠の時間帯の場合には、ステップＳ１３において、本体部１０の各部を制御して通常動作状態（通常モード）から表示部１１に時計が表示される状態に切り替える。この際、ＲＴＣ１８により取得される現在時刻が表示部１１に表示される。そして、ステップＳ１４において、制御部１９は、行動パターンテーブル（更新されている場合には更新行動パターンテーブル）を確認し、ステップＳ１５において、現在時刻が睡眠の終了時間に到達したか否かを判断する。制御部１９は、現在時刻が睡眠の終了時間に到達するまでステップＳ１４およびＳ１５の動作を繰り返し、睡眠の終了時間に到達すると、ステップＳ１６において、本体部１０の各部を制御して、時計表示状態の終了処理を行った後ステップＳ１に戻る。
【００６２】
ステップＳ１２の判断において、現在時刻が睡眠の時間帯ではなく、外出の時間帯である場合には、制御部１９は、ステップＳ１７において、本体部１０の各部を制御して動作状態を通常動作状態（通常モード）からスタンバイ状態（省電力モード）に切り替える。そして、ステップＳ１８において、制御部１９は、行動パターンテーブル（更新されている場合には更新行動パターンテーブル）を確認し、ステップＳ１９において、現在時刻が外出の終了時間に到達したか否かを判断する。制御部１９は、現在時刻が外出の終了時間に到達するまでステップＳ１８およびＳ１９の動作を繰り返し、外出の終了時間に到達すると、ステップＳ２０において、本体部１０の各部を制御して、スタンバイ状態からの起動処理（ＷＡＫＥ  ＵＰ処理）を行った後ステップＳ１に戻る。
【００６３】
なお、第２実施形態のその他の構成は、上記第１実施形態と同様である。
【００６４】
第２実施形態では、上記のように、通信状態情報に基づいて、電子機器（デジタルテレビジョン装置３、ＤＶＤプレーヤ４、ＰＣ５およびオーディオ装置６）のネットワーク上での通信が行われていると判断した場合には、時間帯毎の生活上の行動内容に関する情報を含む行動パターンテーブルから現在時刻に対応する時間帯の行動内容の情報を取得し、現在時刻に対応する時間帯の行動内容に応じた動作状態になるように本体部１０の動作状態を切り替えることによって、行動パターンテーブルを用いてユーザの現在の行動内容を容易に想定することができるので、ユーザの現在の行動内容に適した動作状態に本体部１０を切り替えることができる。
【００６５】
また、第２実施形態では、電子機器の通信が行われなくなった時刻および電子機器の通信が開始された時刻に基づいて行動パターンテーブルを更新するとともに、更新された行動パターンテーブルから現在時刻に対応する時間帯の行動内容の情報を取得することによって、ユーザが電子機器の状態を変更した時間に対応する、通信状態情報が変更された時間に関する情報に基づいて、行動パターンテーブルが更新されるので、更新された行動パターンテーブルを用いてユーザの現在の行動内容をより精度よく想定することができる。
【００６６】
また、第２実施形態では、現在時刻に対応する時間帯の行動内容が睡眠である場合に、本体部１０の動作状態を表示部１１に時計が表示される状態に切り替えることによって、ユーザが在宅しているものの睡眠中である場合には、表示部１１に画像を表示させる必要がないので、目が覚めたときに知りたい情報である時刻を表示させてユーザの利便性を向上させることができる。
【００６７】
なお、第２実施形態のその他の効果は、上記第１実施形態と同様である。
【００６８】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００６９】
たとえば、上記第１および第２実施形態では、電子機器をインターネットおよびＬＡＮに接続可能に構成する例を示したが、本発明はこれに限らず、電子機器をネットワークに接続可能に構成すればよく、たとえば、電子機器をインターネットまたはＬＡＮのいずれか一方だけに接続可能に構成してもよいし、インターネットおよびＬＡＮ以外のＷＡＮ（Ｗｉｄｅ  Ａｒｅａ  Ｎｅｔｗｏｒｋ）に接続可能に構成してもよい。
【００７０】
また、上記第１実施形態では、本体部から所定の範囲内に設置された電子機器の一例としての、ＬＡＮに接続された電子機器の通信状態に基づいて本体部の動作状態を切り替える構成の例を示したが、本発明はこれに限らず、デジタルフォトフレームのある部屋内の電子機器の通信状態に基づいて本体部の動作状態を切り替える構成でもよいし、デジタルフォトフレームのある部屋以外の部屋も含めた宅内の電子機器の通信状態に基づいて本体部の動作状態を切り替える構成であってもよい。
【００７１】
また、上記第１実施形態では、本発明の画像表示装置の一例として、デジタルフォトフレームを示したが、本発明はこれに限らず、デジタルフォトフレーム以外の他の画像表示装置であってもよい。
【００７２】
また、上記第１実施形態では、本体部の動作状態を通常動作状態とスタンバイ状態とで切り替える構成の例を示し、上記第２実施形態では、本体部の動作状態を通常動作状態とスタンバイ状態と時計を表示する状態とで切り替える構成の例を示したが、本発明はこれに限らず、本体部の動作状態を切り替える構成であれば、たとえば、スクリーンセーバを表示する状態など、本体部の動作状態を通常動作状態、スタンバイ状態および時計を表示する状態以外の他の状態に切り替える構成であってもよい。
【００７３】
また、上記第１実施形態および第２実施形態では、全ての電子機器がネットワーク上で通信を行っていない場合に、スタンバイ状態に切り替える構成の例を示したが、本発明はこれに限らず、複数の電子機器のうちの所定数の電子機器がネットワーク上で通信を行っていない場合に、スタンバイ状態に切り替える構成であってもよい。
【００７４】
また、上記第１実施形態および第２実施形態では、電子機器がネットワーク上で通信を行っているか否かに基づいて、動作状態を切り替える構成の例を示したが、本発明はこれに限らず、電子機器のネットワーク上での通信情報量に基づいて、動作状態を切り替える構成であってもよい。たとえば、電子機器によりネットワークを介してサイズの大きいファイルをダウンロードする場合などに電子機器のネットワーク上での通信情報量が大きくなる。
【００７５】
また、上記第１実施形態および第２実施形態では、ネットワークを介して中継機器としてのルータから通信状態情報を取得する構成の例を示したが、本発明はこれに限らず、通信状態情報を取得するための専用の経路をルータとの間に設け、この専用の経路を介してルータから通信状態情報を取得する構成であってもよい。この場合には、デジタルフォトフレームをネットワークに接続する必要がない。
【００７６】
また、上記第２実施形態では、現在時刻に対応する時間帯の行動内容に応じた動作状態に切り替える構成の例を示したが、本発明はこれに限らず、行動内容に関係なく、単に時間帯に応じた動作状態に切り替える構成であってもよい。
【００７７】
また、上記第２実施形態では、電子機器によりネットワーク上での通信が行われている場合に、現在時刻に対応する時間帯の行動内容に応じた動作状態に切り替える構成の例を示したが、本発明はこれに限らず、電子機器によりネットワーク上での通信が行われていない場合に、現在時刻に対応する時間帯の行動内容に応じた動作状態に切り替える構成であってもよい。
【００７８】
また、上記第２実施形態では、１週間分の行動パターンデータの平均値に基づいて行動パターンテーブルを更新する構成の例を示したが、本発明はこれに限らず、各日の行動パターンデータに基づいて行動パターンテーブルを更新する構成であってもよいし、１週間以外の、たとえば１０日間の行動パターンデータの平均値に基づいて行動パターンテーブルを更新する構成であってもよい。
【００７９】
また、上記第１実施形態および第２実施形態では、複数の電子機器をネットワークに接続し、ネットワークに接続された複数の電子機器の通信状態に応じて本体部の動作状態を切り替える構成の例を示したが、本発明はこれに限らず、１つの電子機器だけをネットワークに接続し、ネットワークに接続された１つの電子機器の通信状態に応じて本体部の動作状態を切り替える構成であってもよい。
【符号の説明】
【００８０】
１、１００  デジタルフォトフレーム（画像表示装置、電子フォトフレーム）
２  ルータ（中継機器）
３  デジタルテレビジョン装置（電子機器）
４  ＤＶＤプレーヤ（電子機器）
５  ＰＣ（電子機器）
６  オーディオ装置（電子機器）
１０  本体部
１１  表示部
１４  フラッシュＲＯＭ（記憶部）
１９  制御部（通信状態情報取得部、テーブル更新部）
【図１】
2011076189.tif 000003
【図２】
2011076189.tif 000004
【図３】
2011076189.tif 000005
【図４】
2011076189.tif 000006
【図５】
2011076189.tif 000007
【図６】
2011076189.tif 000008